(57)【特許請求の範囲】
【請求項１】
複数の特定端末装置間で情報のやりとりが可能なように該複数の特定端末装置を接続する制御装置と、前記制御装置と通信可能であるとともに所定通信エリアに存在する所定端末装置と通信する管理装置と、を含む通信管理システムであって、
前記制御装置は、
前記複数の特定端末装置のいずれかから送信された、配信権利を要求する旨の配信権利要求を受け付けると、該配信権利要求を送信した特定端末装置に該配信権利を提供する管理部と、
前記管理部にて提供された配信権利を有する特定端末装置から情報を受け付けると、その受け付けられた情報を、前記管理装置と、前記配信権利を有さない特定端末装置と、に配信し、また、前記配信権利を有さない特定端末装置から情報を受け付けると、その受け付けられた情報を、該情報を送信した特定端末装置以外の特定端末装置に配信する配信部と、を含み、
前記管理装置は、前記配信部から前記情報を受け付けると、その受け付けられた情報を前記所定端末装置にブロードキャストまたはマルチキャストで送信する通信制御部を含む、通信管理システム。
【請求項２】
請求項１に記載の通信管理システムにおいて、
前記管理部は、さらに、前記複数の特定端末装置の各ユーザに関するユーザ情報を管理し、また、前記配信権利を有さない特定端末装置に、該配信権利を有する特定端末装置のユーザに関するユーザ情報を提供する、通信管理システム。
【請求項３】
請求項１または２に記載の通信管理システムにおいて、
前記管理装置は、
情報配信が可能な通信エリアを管理する通信エリア管理部と、
前記複数の特定端末装置のいずれかから送信された、情報配信が可能な通信エリアを問い合わせる旨の問合せ要求を受け付けると、前記通信エリア管理部にて管理されている情報配信が可能な通信エリアを示すエリア情報を、前記問合せ要求を送信した特定端末装置に提供するエリア情報提供部と、をさらに含み、
前記通信制御部は、前記エリア情報提供部にて提供されたエリア情報を有する特定端末装置から、前記エリア情報に示された通信エリアの中から選択された通信エリアを示すエリア特定情報を受け付けると、前記エリア特定情報にて示された通信エリアに存在する所定端末装置に、前記配信部から受け付けられた情報をブロードキャストまたはマルチキャストで送信する、通信管理システム。
【請求項４】
請求項３に記載の通信管理システムにおいて、
前記通信制御部は、前記エリア情報を有する特定端末装置から、前記エリア情報に示された通信エリアの中から選択された通信エリアを示すエリア特定情報を受け付けると、該エリア特定情報を前記配信部に送信し、
前記配信部は、前記通信制御部から前記エリア特定情報を受け付けると、該エリア特定情報を前記複数の特定端末装置に配信する、通信管理システム。
【請求項５】
請求項１ないし４のいずれか１項に記載の通信管理システムにおいて、
前記配信部は、前記複数の特定端末装置間でＳＩＰによるセッションを確立して該複数の特定端末装置間で情報のやりとりが可能なように該複数の特定端末装置を接続する、通信管理システム。
【請求項６】
請求項５に記載の通信管理システムにおいて、
前記制御装置は、ＳＩＰサーバである、通信管理システム。
【請求項７】
請求項６に記載の通信管理システムにおいて、
前記管理装置は、ブロードキャストマルチキャストサービスセンタである、通信管理システム。
【請求項８】
複数の特定端末装置間で情報のやりとりが可能なように該複数の特定端末装置を接続する制御装置と、前記制御装置と通信可能であるとともに所定通信エリアに存在する所定端末装置と通信する管理装置と、を含む通信管理システムが行う通信管理方法であって、
前記制御装置が、前記複数の特定端末装置のいずれかから送信された、配信権利を要求する旨の配信権利要求を受け付ける配信権利要求受付ステップと、
前記制御装置が、前記配信権利要求を受け付けると、該配信権利要求を送信した特定端末装置に該配信権利を提供する配信権利提供ステップと、
前記制御装置が、前記配信権利を有さない特定端末装置から情報を受け付ける情報入力ステップと、
前記制御装置が、前記配信権利を有さない特定端末装置から情報を受け付けると、その受け付けられた情報を、該情報を送信した特定端末装置以外の特定端末装置に送信する情報送信ステップと、
前記制御装置が、前記配信権利を有する特定端末装置から情報を受け付ける情報受付ステップと、
前記制御装置が、前記配信権利を有する特定端末装置から情報を受け付けると、その受け付けられた情報を、前記管理装置と、前記配信権利を有さない特定端末装置と、に配信する情報配信ステップと、
前記管理装置が、前記制御装置から前記情報を受け付けると、その受け付けられた情報を前記所定端末装置にブロードキャストまたはマルチキャストで送信する送信ステップと、を含む、通信管理方法。
【請求項９】
請求項８に記載の通信管理方法において、
前記制御装置は、前記複数の特定端末装置の各ユーザに関するユーザ情報を管理し、
前記制御装置が、前記配信権利を有さない特定端末装置に、該配信権利を有する特定端末装置のユーザに関するユーザ情報を提供するユーザ情報提供ステップを、さらに含む、通信管理方法。
【請求項１０】
請求項８または９に記載の通信管理方法において、
前記管理装置は、情報配信が可能な通信エリアを管理し、
前記管理装置が、前記複数の特定端末装置のいずれかから送信された、情報配信が可能な通信エリアを問い合わせる旨の問合せ要求を受け付ける問合せ要求受付ステップと、
前記管理装置が、前記問合せ要求を受け付けると、前記管理されている情報配信が可能な通信エリアを示すエリア情報を、前記問合せ要求を送信した特定端末装置に提供するエリア情報提供ステップと、
前記管理装置が、前記エリア情報を有する特定端末装置から、前記エリア情報に示された通信エリアの中から選択された通信エリアを示すエリア特定情報を受け付けるエリア特定情報受付ステップと、をさらに含み、
前記送信ステップでは、前記管理装置が、前記エリア特定情報を受け付けると、前記エリア特定情報にて示された通信エリアに存在する所定端末装置に、前記制御装置から受け付けられた情報をブロードキャストまたはマルチキャストで送信する、通信管理方法。
【請求項１１】
請求項１０に記載の通信管理方法において、
前記管理装置が、前記エリア特定情報を受け付けると、該エリア特定情報を前記制御装置に送信するエリア特定情報送信ステップと、
前記制御装置が、前記管理装置から前記エリア特定情報を受け付ける特定情報受付ステップと、
前記制御装置が、前記エリア特定情報を受け付けると、該エリア特定情報を前記複数の特定端末装置に配信するエリア特定情報配信ステップと、をさらに含む、通信管理方法。
【請求項１２】
請求項８ないし１１のいずれか１項に記載の通信管理方法において、
前記制御装置が、前記複数の特定端末装置間でＳＩＰによるセッションを確立して該複数の特定端末装置間で情報のやりとりが可能なように該複数の特定端末装置を接続する接続ステップを、さらに含む、通信管理方法。
【発明の詳細な説明】
【技術分野】
【０００１】
本発明は、通信管理システムおよび通信管理方法に関し、特には、ある端末装置から送信された情報を、複数の端末装置に配信する通信管理システムおよび通信管理方法に関する。
【背景技術】
【０００２】
従来、ある端末装置から送信された情報を、複数の端末装置に配信する通信管理システムが知られている。
【０００３】
例えば、特許文献１（特開平５−５５９８０号公報）には、一斉同報通信を行う移動体通信システムが記載されている。この移動体通信システムは、一斉同報専用端末装置と、交換機と、基地局と、移動局とを含む。
【０００４】
交換機は、一斉同報専用端末装置から特定番号を受け付けると、その特定番号に基づいて基地局を特定し、その特定された基地局に一斉同報専用オーダーを出力する。基地局は、一斉同報専用オーダーを受け付けると、自己のサービスエリア内に存在する移動局に一斉同報通知を行う。
【０００５】
しかしながら、特許文献１に記載の移動体通信システムでは、一斉同報専用端末装置は、他の複数の端末装置と情報をやりとりすることができない。
【０００６】
第３世代セルラー移動通信システムは、複数の端末装置間での情報のやりとりを実現する。
【０００７】
具体的には、第３世代セルラー移動通信システムでは、ＩＭＳ（IP Multimedia Subsystem）が、複数の端末装置間でＳＩＰ（Session Initiation Protocol）によるセッションを確立する。なお、ＳＩＰは、複数の端末装置間の通信を制御する。その結果、複数の端末装置間での情報のやりとりが容易に実現される。
【特許文献１】特開平５−５５９８０号公報
【発明の開示】
【発明が解決しようとする課題】
【０００８】
多くの端末装置間でＳＩＰによるセッションを確立するためには、多くのネットワークリソースが必要になる。ネットワークリソースは有限であるため、ＳＩＰによるセッションが確立される端末装置の数は限られる。
【０００９】
また、無線資源管理を行うＲＲＣ（Radio Resource Control）は、上りチャネルを使用可能な状態に留まることのできる移動端末装置の数を限定する。
【００１０】
このため、あまり多くない端末装置間で情報のやりとりが行われる場合、それらの端末装置間でのＳＩＰによるセッションの確立は可能だが、ある端末装置が、非常に多くの他の端末装置に特定の情報を送信する場合、それらの端末装置間でのＳＩＰによるセッションの確立は困難となる。
【００１１】
このため、通信を行う端末装置間で常にＳＩＰによるセッション確立しようとすると、以下のような問題が生じる。
【００１２】
互いに情報のやりとりを行っている複数の端末装置のいずれかが、非常に多くの端末装置に特定の情報を送信することは、困難となる。
【００１３】
本発明の目的は、互いに情報のやりとりを行っている複数の端末装置のいずれかが、非常に多くの端末装置に特定の情報を送信することを可能にする情報通信システムおよび情報通信方法を提供することである。
【課題を解決するための手段】
【００１４】
上記の目的を達成するために、本発明の通信管理システムは、複数の特定端末装置間で情報のやりとりが可能なように該複数の特定端末装置を接続する制御装置と、前記制御装置と通信可能であるとともに所定通信エリアに存在する所定端末装置と通信する管理装置と、を含む通信管理システムであって、前記制御装置は、前記複数の特定端末装置のいずれかから送信された、配信権利を要求する旨の配信権利要求を受け付けると、該配信権利要求を送信した特定端末装置に該配信権利を提供する管理部と、前記管理部にて提供された配信権利を有する特定端末装置から情報を受け付けると、その受け付けられた情報を、前記管理装置と、前記配信権利を有さない特定端末装置と、に配信し、また、前記配信権利を有さない特定端末装置から情報を受け付けると、その受け付けられた情報を、該情報を送信した特定端末装置以外の特定端末装置に配信する配信部と、を含み、前記管理装置は、前記配信部から前記情報を受け付けると、その受け付けられた情報を前記所定端末装置にブロードキャストまたはマルチキャストで送信する通信制御部を含む。
【００１５】
また、本発明の通信管理方法は、複数の特定端末装置間で情報のやりとりが可能なように該複数の特定端末装置を接続する制御装置と、前記制御装置と通信可能であるとともに所定通信エリアに存在する所定端末装置と通信する管理装置と、を含む通信管理システムが行う通信管理方法であって、前記制御装置が、前記複数の特定端末装置のいずれかから送信された、配信権利を要求する旨の配信権利要求を受け付ける配信権利要求受付ステップと、前記制御装置が、前記配信権利要求を受け付けると、該配信権利要求を送信した特定端末装置に該配信権利を提供する配信権利提供ステップと、前記制御装置が、前記配信権利を有さない特定端末装置から情報を受け付ける情報入力ステップと、前記制御装置が、前記配信権利を有さない特定端末装置から情報を受け付けると、その受け付けられた情報を、該情報を送信した特定端末装置以外の特定端末装置に送信する情報送信ステップと、前記制御装置が、前記配信権利を有する特定端末装置から情報を受け付ける情報受付ステップと、前記制御装置が、前記配信権利を有する特定端末装置から情報を受け付けると、その受け付けられた情報を、前記管理装置と、前記配信権利を有さない特定端末装置と、に配信する情報配信ステップと、前記管理装置が、前記制御装置から前記情報を受け付けると、その受け付けられた情報を前記所定端末装置にブロードキャストまたはマルチキャストで送信する送信ステップとを含む。
【００１６】
上記の発明によれば、制御装置は、配信権利を有する特定端末装置から情報を受け付けると、その情報を、管理装置と、配信権利を有さない特定端末装置とに配信する。また、制御装置は、配信権利を有さない特定端末装置から情報を受け付けると、その情報を、その情報を送信した特定端末装置以外の特定端末装置に配信する。管理装置は、制御装置から情報を受け付けると、その受け付けられた情報を所定端末装置にブロードキャストまたはマルチキャストで送信する。
【００１７】
このため、特定端末装置は、配信権利の有無に応じて、情報の配信先を変更することが可能になる。具体的には、特定端末装置は、配信権利の有無にかかわらず、他の特定端末装置と情報を交換でき、また、配信権利を有すれば、他の特定端末装置と、所定通信エリアに存在する所定端末装置とに、情報を配信できる。
【００１８】
また、管理装置は、その受信された情報を、所定端末装置にブロードキャストまたはマルチキャストで送信する。このため、少ないネットワークリソースで、その受信された情報を所定端末装置に送信することが可能になる。
【００１９】
したがって、特定端末装置は、他の特定端末装置と情報を交換しているときに、非常に多くの所定端末装置に特定の情報を送信することが可能になる。
【００２０】
なお、前記制御装置は、前記複数の特定端末装置の各ユーザに関するユーザ情報を管理し、また、前記配信権利を有さない特定端末装置に、該配信権利を有する特定端末装置のユーザに関するユーザ情報を提供することが望ましい。
【００２１】
上記の発明によれば、情報を発信しているユーザを特定することが可能になる。このため、例えば、不都合もしくは誤った情報が流されていることがわかった場合には、情報発信者から配信権利を取り上げて、そのような情報の送信を中断させることが可能になる。
【００２２】
したがって、例えば、緊急時において、情報を統制することが可能になる。
【００２３】
また、前記管理装置は、情報配信が可能な通信エリアを管理し、また、前記複数の特定端末装置のいずれかから送信された、情報配信が可能な通信エリアを問い合わせる旨の問合せ要求を受け付けると、前記管理されている通信エリアを示すエリア情報を、前記問合せ要求を送信した特定端末装置に提供する。また、前記管理装置は、前記エリア情報を有する特定端末装置から、前記エリア情報に示された通信エリアの中から選択された通信エリアを示すエリア特定情報を受け付けると、前記エリア特定情報にて示された通信エリアに存在する所定端末装置に、前記制御装置から受け付けられた情報をブロードキャストまたはマルチキャストで送信する。
【００２４】
上記の発明によれば、特定端末装置のユーザが通信エリアを指定することが可能になる。このため、特定端末装置のユーザは、各通信エリアに存在する所定端末装置に適切な情報を提供することが可能になる。
【００２５】
また、前記管理装置は、前記エリア情報を有する特定端末装置から、前記エリア情報に示された通信エリアの中から選択された通信エリアを示すエリア特定情報を受け付けると、該エリア特定情報を、前記制御装置に送信し、前記制御装置は、前記管理装置から前記エリア特定情報を受け付けると、該エリア特定情報を前記複数の特定端末装置に配信することが望ましい。
【００２６】
上記の発明によれば、特定端末装置のユーザは、現在、情報が配信されている通信エリアを容易に把握できる。
【００２７】
また、前記制御部は、前記複数の特定端末装置間でＳＩＰによるセッションを確立して該複数の特定端末装置間で情報のやりとりが可能なように該複数の特定端末装置を接続することが望ましい。
【００２８】
上記の発明によれば、例えば、第３世代セルラー移動体通信システムに対応する特定端末装置は、他の特定端末装置と情報を交換しているときに、非常に多くの所定端末装置に特定の情報を送信することが可能になる。
【００２９】
また、前記制御装置は、ＳＩＰサーバであることが望ましい。
【００３０】
また、前記管理装置は、ブロードキャストマルチキャストサービスセンタであることが望ましい。
【００３１】
上記の発明によれば、例えば、インターネット網等のＩＰ網に接続されている特定端末装置から移動体通信網に対して一斉同報通信を行うことが可能になる。また、移動体通信網に接続されている特定端末装置から移動体通信網に対して一斉同報通信を行うことも可能になる。
【発明の効果】
【００３２】
本発明によれば、端末装置間で情報交換が行われるときに、それらの端末装置のいずれかが非常に多くの端末装置に特定の情報を送信することが可能になる。
【発明を実施するための最良の形態】
【００３３】
以下、本発明の実施例を、図面を参照して説明する。
【００３４】
図１は、本発明の第１実施例の情報通信システムを示したブロック図である。
【００３５】
図１において、本情報通信システムは、有線通信網１０１と、複数の端末装置１０２と、複数の移動端末装置１０３と、ＳＩＰサーバ１０４と、管理ノード１０５と、ＣＮ（Core Network）１０６と、ＲＡＮ（Radio Access Network）１０７とを含む。
【００３６】
有線通信網１０１は、例えば、インターネット等の通信回線である。
【００３７】
端末装置１０２ａ、１０２ｂおよび１０２ｃのそれぞれは、有線通信網１０１を介して、ＳＩＰサーバ１０４と通信する。なお、端末装置１０２は、３台に限らず、その数は適宜変更可能である。
【００３８】
端末装置１０２ａ、１０２ｂおよび１０２ｃは、同一の機能を有する。以下では、説明の重複を避けるため、端末装置１０２ａ、１０２ｂおよび１０２ｃのうち、端末装置１０２ａについてのみ説明する。
【００３９】
端末装置１０２ａは、データ（情報）を送受信する機能を有する。
【００４０】
また、端末装置１０２ａは、他の端末装置１０２または移動端末装置１０３との間でＳＩＰによるセッションが確立されると、そのセッションが確立された他の端末装置１０２または移動端末装置１０３との間で音声、映像、もしくはテキスト等のパケットをやりとりするサービスを利用する機能と、を有する。なお、各装置間のＳＩＰによるセッションは、ＳＩＰサーバ１０４にて確立される。
【００４１】
移動端末装置１０３ａ、１０３ｂおよび１０３ｃのそれぞれは、所定端末装置の一例である。
【００４２】
移動端末装置１０３ａ、１０３ｂおよび１０３ｃのそれぞれは、ＲＡＮ１０７にて形成されるセル（通信エリア）１０８ａまたは１０８ｂの配下にあり、ＲＡＮ１０７からブロードキャストまたはマルチキャストにより送信されるデータを受信する機能を有する。
【００４３】
本実施例では、移動端末装置１０３ａおよび１０３ｂは、セル１０８ａ内に存在し、移動端末装置１０３ｂおよび１０３ｃは、セル１０８ｂ内に存在する。
【００４４】
また、移動端末装置１０３ａ、１０３ｂおよび１０３ｃのそれぞれまたはいずれかは、端末装置１０２または他の移動端末装置１０３との間でＳＩＰによるセッションが確立されると、そのセッションが確立された端末装置１０２または他の移動端末装置１０３との間で音声、映像、もしくはテキスト等のパケットをやりとりするサービスを利用する機能を有する。
【００４５】
ＳＩＰサーバ１０４は、複数の装置間でＳＩＰによるセッションを確立する機能と、それら複数の装置から受信したデータを管理ノード１０５に転送する機能と、情報配信を実施する権利（以下「配信権利」と称する。）を管理する機能と、を有する。
【００４６】
図２は、ＳＩＰサーバ１０４の一例を示したブロック図である。
【００４７】
図２において、ＳＩＰサーバ１０４は、通信部１０４ａと、管理部１０４ｂと、配信部１０４ｃとを含む。配信部１０４ｃは、セッション確立部１０４ｃ１と、配信制御部１０４ｃ２とを含む。
【００４８】
通信部１０４ａは、有線通信網１０１および管理ノード１０５と接続する。
【００４９】
セッション確立部１０４ｃ１は、複数の装置（例えば、複数の端末装置１０２と移動端末装置１０３）間でＳＩＰによるセッションを確立する。
【００５０】
例えば、セッション確立部１０４ｃ１は、複数の端末装置１０２間でＳＩＰによるセッションを確立したり、複数の端末装置１０２と移動端末装置１０３との間でＳＩＰによるセッションを確立したりして、それら複数の装置の間で、情報のやりとりが可能なように、それら複数の装置を接続する。
【００５１】
なお、以下では、ＳＩＰによるセッションが確立された装置を、特定端末装置と称する。
【００５２】
管理部１０４ｂは、ＳＩＰによるセッションが確立された複数の装置のいずれかから、すなわち、特定端末装置のいずれかから、配信権利を要求する旨の配信権利要求を受信すると、その配信権利要求を送信した特定端末装置に、配信権利を提供する。
【００５３】
また、管理部１０４ｂは、複数の特定端末装置の各ユーザに関するユーザ情報を管理し、配信権利を有さない特定端末装置に、配信権利を有する特定端末装置のユーザに関するユーザ情報を提供する。ユーザ情報は、例えば、特定端末装置のユーザの名前である。特定端末装置は、ユーザ情報を受信すると、そのユーザ情報を表示する。
【００５４】
配信制御部１０４ｃ２は、配信権利を有する特定端末装置から情報を受信すると、その受信された情報を、管理ノード１０５と、配信権利を有さない特定端末装置と、に配信する。
【００５５】
また、配信制御部１０４ｃ２は、配信権利を有さない特定端末装置から情報を受信すると、その受信された情報を、その情報を送信した特定端末装置以外の特定端末装置（例えば、その情報を送信した特定端末装置と異なるすべての特定端末装置）に配信する。なお、配信制御部１０４ｃ２は、配信権利を有さない特定端末装置から受け付けられた情報を、管理ノード１０５に配信しない。
【００５６】
図１に戻って、管理ノード１０５は、セルラー移動通信システムに対応する移動端末装置１０３に対してブロードキャストまたはマルチキャストにてデータを配信するサービスを実施する機能と、ＣＮ１０６にQoS（Quality of service）とサービスエリア（通信エリア）に関するパラメータとを与える機能と、を有する。
【００５７】
図３は、管理ノード１０５の一例を示したブロック図である。
【００５８】
図３において、管理ノード１０５は、通信部１０５ａと、通信エリア管理部１０５ｂと、エリア情報提供部１０５ｃと、通信制御部１０５ｄとを含む。
【００５９】
通信部１０５ａは、ＳＩＰサーバ１０４およびＣＮ１０６と接続する。
【００６０】
通信エリア管理部１０５ｂは、情報配信が可能な通信エリアを管理する。
【００６１】
例えば、通信エリア管理部１０５ｂは、ブロードキャストまたはマルチキャストにてデータを配信する機能が備わっているセルの中から事前の契約により定めされたセルを、情報配信が可能な通信エリアとして、管理する。
【００６２】
なお、通信エリア管理部１０５ｂは、各セルのネットワークリソースの利用状況に基づいて、情報配信が可能な通信エリアを管理してもよい。例えば、通信エリア管理部１０５ｂは、ネットワークリソースが十分に空いているセルを、情報配信が可能な通信エリアとして、管理してもよい。
【００６３】
また、通信エリア管理部１０５ｂは、ネットワークリソースも管理する。
【００６４】
エリア情報提供部１０５ｃは、複数の特定端末装置のいずれかから、情報配信が可能な通信エリアを問い合わせる旨の問合せ要求を受信すると、通信エリア管理部１０５ｂにて管理されている情報配信が可能な通信エリアを示すエリア情報を、その問合せ要求を送信した特定端末装置宛に送信する。
【００６５】
通信制御部１０５ｄは、特定端末装置から送信された情報を、ＳＩＰサーバ１０４を介して受信すると、その受信された情報を、セル１０８に存在する移動端末装置１０３にブロードキャストまたはマルチキャストで送信する。
【００６６】
なお、本実施例では、通信制御部１０５ｄは、エリア情報提供部１０５ｃからエリア情報を受け付けた特定端末装置から、そのエリア情報に示された通信エリアの中から選択された通信エリア（例えば、セル１０８ａ）を示すエリア特定情報を受け付けると、特定端末装置から送信された情報を、そのエリア特定情報にて示された通信エリアに存在する移動端末装置１０３に送信する。
【００６７】
また、通信制御部１０５ｄは、エリア情報を受け付けた特定端末装置から、エリア特定情報を受け付けると、そのエリア特定情報を、ＳＩＰサーバ１０４の配信制御部１０４ｃ２に送信する。
【００６８】
配信制御部１０４ｃ２は、エリア特定情報を受信すると、そのエリア特定情報を複数の特定端末装置に配信する。特定端末装置は、エリア特定情報を受信すると、そのエリア特定情報を表示する。
【００６９】
図１に戻って、ＣＮ１０６およびＲＡＮ１０７は、データをブロードキャストまたはマルチキャストにより送信する機能を有する。
【００７０】
なお、図中の各装置は、ここで述べた機能の他に多数の機能を持つが、それらの機能は同業者によってよく知られており、また本発明とは直接関係しないので、その詳細な機能についての説明は省略する。
【００７１】
次に、動作を説明する。
【００７２】
図４は、ＳＩＰによる複数の特定端末装置間のセッション確立手続きを説明するためのシーケンス図である。なお、図４において、図１に示したものと同一のものには同一符号を付してある。
【００７３】
また、説明の簡略化を図るため、端末装置１０２ａおよび１０２ｂが特定端末装置となる場合の動作を説明する。
【００７４】
端末装置１０２ａは、端末装置１０２ａと端末装置１０２ｂの間でＳＩＰによるセッションを開始する旨の指示と、ブロードキャストまたはマルチキャストによる情報配信を要求する旨の情報配信要求と、をユーザから受け付けると、ステップ４０１を実行する。
【００７５】
ステップ４０１では、端末装置１０２ａは、ＳＩＰによるセッションを開始する。端末装置１０２ａは、ＳＩＰによるセッションを開始すると、ステップ４０２を実行する。
【００７６】
ステップ４０２では、端末装置１０２ａは、端末装置１０２ａと端末装置１０２ｂとの間でＳＩＰによるセッションを開始する旨と、情報配信要求と、を示したメッセージＩｎｖｉｔｅを、ＳＩＰサーバ１０４に送信する。
【００７７】
ＳＩＰサーバ１０４は、メッセージＩＮＶＩＴＥを受け付けると、ステップ４０３を実行する。
【００７８】
ステップ４０３では、ＳＩＰサーバ１０４の配信制御部１０４ｃ２は、メッセージＩＮＶＩＴＥが情報配信要求を示しているか否かを確認する。
【００７９】
また、ＳＩＰサーバ１０４のセッション確立部１０４ｃ１は、メッセージＩＮＶＩＴＥに示された、端末装置１０２ａと端末装置１０２ｂとの間でＳＩＰによるセッションを開始する旨に応じて、ステップ４０４を実行する。
【００８０】
ステップ４０４では、セッション確立部１０４ｃ１は、端末装置１０２ｂとＳＩＰによるセッションを確立するために、メッセージＩＮＶＩＴＥを端末装置１０２ｂに送信する。このようなメッセージＩＮＶＩＴＥの送受に基づいて、端末装置１０２ａと、端末装置１０２ｂとの間でＳＩＰによるセッションが確立される。
【００８１】
端末装置１０２ａから送信されたメッセージＩＮＶＩＴＥが情報配信要求を示していると、端末装置１０２ａと端末装置１０２ｂとの間でＳＩＰによるセッションが確立された後、配信制御部１０４ｃ２は、ステップ４０５を実行する。
【００８２】
ステップ４０５では、配信制御部１０３ｃ２は、管理ノード１０５に対してブロードキャストもしくはマルチキャストを実施するためのリソースを確保する旨を要請し、また、情報配信が可能な通信エリアを問い合わせる旨の問合せ要求を管理ノード１０５に送信する。なお、この問合せ要求は、端末装置１のアクセス情報を含む。
【００８３】
管理ノード１０５は、リソースを確保する旨の要請および問合せ要求を受け付けると、ステップ４０６を実行する。
【００８４】
ステップ４０６では、管理ノード１０５のエリア情報提供部１０５ｃは、通信エリア管理部１０５ｂを用いて、情報配信が可能なエリアの確認とリソースの予約とを行う。
【００８５】
エリア情報提供部１０５ｃは、情報配信が可能なエリアを確認し、かつ、リソース予約を行うと、ステップ４０７を実行する。
【００８６】
ステップ４０７では、エリア情報提供部１０５ｃは、その確認されたエリア（例えば、セル１０８ａおよび１０８ｂ）を示すエリア情報を、端末装置１０２ａ宛に送信する。なお、エリア情報は、管理ノード１０５のアクセス情報を含む。ＳＩＰサーバ１０４の配信制御部１０４ｃ２は、端末装置１０２ａ宛のエリア情報を受け付けると、ステップ４０８を実行する。
【００８７】
ステップ４０８では、配信制御部１０４ｃ２は、その端末装置１０２ａ宛のエリア情報を、端末装置１０２ａに送信する。
【００８８】
端末装置１０２ａは、エリア情報を受け付けると、その受け付けられたエリア情報を表示する。
【００８９】
端末装置１０２ａのユーザ、すなわち、発信元ユーザは、エリア情報に示された通信エリアの中から情報配信を行う通信エリア（例えば、セル１０８ａ）を選択し、その選択結果を、端末装置１０２ａに入力する。
【００９０】
端末装置１０２ａは、その選択結果を受け付けると、ステップ４０９を実行する。
【００９１】
ステップ４０９では、端末装置１０２ａは、その選択された通信エリア（例えば、セル１０８ａ）を示すエリア特定情報を、管理ノード１０５宛に送信する。ＳＩＰサーバ１０４の配信制御部１０４ｃ２は、管理ノード１０５宛のエリア特定情報を受け付けると、ステップ４１０を実行する。
【００９２】
ステップ４１０では、配信制御部１０４ｃ２は、その管理ノード１０５宛のエリア特定情報を、管理ノード１０５に送信する。
【００９３】
管理ノード１０５は、エリア特定情報を受け付けると、ステップ４１１を実行する。
【００９４】
ステップ４１１では、管理ノード１０５の通信制御部１０５ｄは、通信エリア管理部１０５ｂを用いて、エリア特定情報にて示された通信エリア（例えば、セル１０８ａ）において情報配信を実施するために必要となるリソースを確保する。通信制御部１０５ｄは、リソースを確保して情報配信準備を完了すると、エリア特定情報を含む準備完了通知を、端末装置１０２ａ宛に送信する。
【００９５】
ＳＩＰサーバ１０４の配信制御部１０４ｃ２は、準備完了通知を受け付けると、ステップ４１３を実行する。
【００９６】
ステップ４１３では、配信制御部１０４ｃ２は、その準備完了通知を、ＳＩＰによるセッションが確立されている端末装置１０２ａおよび１０２ｂに送信する。
【００９７】
端末装置１０２ａおよび１０２ｂは、準備完了通知を受け付けると、その受け付けられた準備完了通知に含まれるエリア特定情報を表示する。例えば、端末装置１０２ａおよび１０２ｂは、エリア特定情報を、サービスエリア情報として表示する。
【００９８】
なお、サービスエリア情報は、変更がない限り同じエリアを示す。
【００９９】
ＳＩＰセッションが確立された特定端末装置は、音声、映像、もしくはテキスト等のパケットをやりとりすることが可能となる。また、特定端末装置のいずれかは、配信権利を有すると、ブロードキャストもしくはマルチキャストにより、サービスエリア情報にて示されたサービスエリアに属するセルに存在する移動端末装置に対して、情報を提供できる。
【０１００】
図５は、発信元ユーザが選択した情報をブロードキャストもしくはマルチキャストにより配信する手順を説明するためのシーケンス図である。なお、図５において、図１に示したものと同一のものには同一符号を付してある。
【０１０１】
端末装置１０２ａのユーザが、ブロードキャストもしくはマルチキャストによる情報配信を行いたいときには、ステップ５０１が実行される。
【０１０２】
ステップ５０１では、端末装置１０２ａのユーザによって、端末装置１０２ａの情報配信ボタン（不図示）が押下される。端末装置１０２ａの情報配信ボタンが押下されると、端末装置１０２ａは、ステップ５０２を実行する。
【０１０３】
ステップ５０２では、端末装置１０２ａは、ＳＩＰサーバ１０４に対して、配信権利を要求する旨の配信権利要求を送信する。
【０１０４】
ＳＩＰサーバ１０４は、配信権利要求を受け付けると、ステップ５０３を実行する。
【０１０５】
ステップ５０３では、ＳＩＰサーバ１０４の管理部１０４ｂは、ＳＩＰにてセッションが確立されている複数の特定端末装置の中の、端末装置１０２ａと異なる特定端末装置（図５の例では端末装置１０２ｂ）が、配信権利を有しているか否かを確認する。
【０１０６】
管理部１０４ｂは、端末装置１０２ａと異なる特定端末装置が配信権利を有していなければ、換言すると、他の特定端末装置がブロードキャストもしくはマルチキャストによる情報配信を行っていなければ、端末装置１０２ａにＯＫを返して、端末装置１０２ａに配信権利を提供する。管理部１０４ｂは、配信権利を提供した端末装置を示す権利提供先情報を格納する。
【０１０７】
一方、管理部１０４ｂは、端末装置１０２ａと異なる特定端末装置が配信権利を有していると、換言すると、他の特定端末装置がブロードキャストもしくはマルチキャストによる情報配信を行っていると、端末装置１０２ａにＮＧを返す。このとき、配信権利は端末装置１０２ａに提供されない。
【０１０８】
端末装置１０２ａのユーザは、管理部１０４ｂからＯＫを受け付けると、サービスエリアに対して情報配信を行うことができると判断し、一方、管理部１０４ｂからＮＧを受け付けると、サービスエリアに対して情報配信を行うことができないと判断してしばらく待つ。
【０１０９】
また、管理部１０４ｂは、端末装置１０２ａに配信権利を提供すると、ステップ５０４を実行する。
【０１１０】
ステップ５０４では、管理部１０４ｂは、端末装置１０２ａとＳＩＰにてセッションが確立されている端末装置（この場合、端末装置１０２ｂ）に、情報配信サービスが使用中である旨を示す配信中情報を通知する。
【０１１１】
また、管理部１０４ｂは、端末装置１０２ａとＳＩＰにてセッションが確立されている端末装置（この場合、端末装置１０２ｂ）に、配信権利が提供された端末装置１０２ａのユーザに関するユーザ情報（発信者情報）を提供する。
【０１１２】
端末装置１０２ｂは、配信中情報を受け付けると、情報配信サービスが使用中であることを示す配信中アイコンを表示し、また、発信者情報を受け付けると、その受け付けられた発信者情報を表示する。
【０１１３】
端末装置１０２ａのユーザは、サービスエリアに対して情報配信を行うことができると判断すると、ブロードキャストもしくはマルチキャストで配信するための情報（以下では「配信用データ」と称する。）を、端末装置１０２ａに設定する。
【０１１４】
端末装置１０２ａは、配信用データが設定されると、ステップ５０５を実行する。
【０１１５】
ステップ５０５では、端末装置１０２ａは、その配信用データをＳＩＰサーバ１０４に送信する。
【０１１６】
ＳＩＰサーバ１０４は、配信用データを受け付けると、ステップ５０６を実行する。
【０１１７】
ステップ５０６では、ＳＩＰサーバ１０４の配信制御部１０４ｃ２は、配信用データの送信元を確認し、その確認結果に応じてデータ転送を行う。
【０１１８】
具体的には、配信制御部１０４ｃ２は、配信用データの送信元が配信権利を有する端末装置であると、ステップ５０７およびステップ５０８を実行し、一方、配信用データの送信元が配信権利を有さない端末装置であると、ステップ５０７は実行せずステップ５０８だけ実行する。
【０１１９】
なお、配信制御部１０４ｃ２は、例えば、管理部１０４ｂに格納されている権利提供先情報が配信用データの送信元を示していれば、配信用データの送信元が配信権利を有する端末装置であると判断し、また、その権利提供先情報が配信用データの送信元を示していなければ、配信用データの送信元が配信権利を有する端末装置でないと判断する。
【０１２０】
ステップ５０７では、配信制御部１０４ｃ２は、その配信用データを管理ノード１０５に配信する。管理ノード１０５は、配信用データを受信すると、ステップ５０９を実行する。
【０１２１】
ステップ５０９では、管理ノード１０５の通信制御部１０５ｄは、エリア特定情報にて示された通信エリア（サービス提供エリア）を確認し、配信のスケジューリングを行い、マルチキャストもしくはブロードキャストで、その受信された配信用データを、サービス提供エリアに存在する移動端末装置１０３に送信する。
【０１２２】
一方、ステップ５０８では、配信制御部１０４ｃ２は、その配信データを、端末装置１０２ａとＳＩＰにてセッションが確立されている端末装置（この場合、端末装置１０２ｂ）に配信する。なお、配信制御部１０４ｃ２は、その配信データを、端末装置１０２ａにも配信してもよい。
【０１２３】
このように、ＳＩＰサーバ１０４は、配信権利を持っているユーザから送信されたデータのみを、管理ノード１０５に転送する。
【０１２４】
なお、会議システムのような、複数ユーザから提供された音声および映像データのミキシングを行う双方向パケット通信においては、配信制御部１０４ｃ２は、配信権利を有する特定端末装置から送信されたデータのみを、管理ノード１０５へ転送する。
【０１２５】
ブロードキャストもしくはマルチキャストにより配信を停止する場合には、端末装置１０２ａのユーザは、端末装置１０２ａの情報配信ボタンを再び押下する。
【０１２６】
端末装置１０２ａは、この押下に応じて、ＳＩＰサーバ１０４に対して、配信終了要求を送信する。
【０１２７】
ＳＩＰサーバ１０４の管理部１０４ｂは、配信終了要求を受け付けると、端末装置１０２ａにＯＫを返して、端末装置１０２ａに提供していた配信権利を取り戻し、端末装置１０２ａを示す権利提供先情報を削除する。
【０１２８】
端末装置１０２ａは、ＳＩＰサーバ１０４からＯＫを受信すると、配信中アイコンの表示を終了する。
【０１２９】
また、ＳＩＰサーバ１０４の管理部１０３ｂは、配信終了要求を受け付けると、端末装置１０２ａとＳＩＰにてセッションが確立されている端末装置（この場合、端末装置１０２ｂ）に、配信終了通知を送信する。
【０１３０】
端末装置１０２ｂは、配信終了通知を受信すると、配信中アイコンおよび発信者情報の表示を終了する。
【０１３１】
図６は、サービス提供エリアを変更する手順を説明するためのシーケンス図である。
【０１３２】
なお、図６において、図４に示した処理と同一の処理には同一符号を付してある。以下、図４に示した処理と異なる処理を中心に、サービス提供エリアを変更する手順を説明する。
【０１３３】
端末装置１０２ａのユーザは、サービス提供エリアを変更したい場合、情報配信が可能な通信エリアを問い合わせる旨の問合せ要求を端末装置１０２ａに入力する。
【０１３４】
端末装置１０２ａは、問合せ要求を受け付けると、ステップ６０１を実行する。
【０１３５】
ステップ６０１では、端末装置１０２ａは、情報配信が可能なエリアを照会するために、管理ノード１０５宛ての問合せ要求を送信する。ＳＩＰサーバ１０４は、管理ノード１０５宛ての問合せ要求を受信すると、ステップ６０２を実行する。
【０１３６】
ステップ６０２では、ＳＩＰサーバ１０４の配信制御部１０４ｃ２は、その受信された管理ノード１０５宛ての問合せ要求を、管理ノード１０５に送信する。なお、この問合せ要求は、端末装置１０２ａのアクセス情報を含む。
【０１３７】
管理ノード１０５は、問合せ要求を受け付けると、ステップ４０６を実行する。以降、ステップ４０７からステップ４１３が実行される。
【０１３８】
図７は、端末装置１０２と移動端末装置１０３の表示画面の一例を示した説明図である。図７において、表示画面７０１には、配信中アイコン７０１ａと、発信者情報７０１ｂと、サービスエリア情報７０１ｃとが表示される。
【０１３９】
本実施例によれば、ＳＩＰサーバ１０４は、配信権利を有する特定端末装置から情報を受け付けると、その情報を、管理ノード１０５と、配信権利を有さない特定端末装置とに配信する。また、ＳＩＰサーバ１０４は、配信権利を有さない特定端末装置から情報を受け付けると、その情報を、その情報を送信した特定端末装置以外の特定端末装置（例えば、その情報を送信した特定端末装置と異なる特定端末装置）に配信する。管理ノード１０５は、ＳＩＰサーバ１０４から情報を受け付けると、その受け付けられた情報を移動端末装置１０３にブロードキャストまたはマルチキャストで送信する。
【０１４０】
このため、特定端末装置は、配信権利の有無に応じて、情報の配信先を変更することが可能になる。具体的には、特定端末装置は、配信権利の有無にかかわらず、他の特定端末装置と情報を交換でき、また、配信権利を有すれば、他の特定端末装置と、セル１０８に存在する移動体端末装置１０３とに、情報を配信できる。
【０１４１】
また、管理ノード１０５は、その受信された情報を、移動体端末装置１０３にブロードキャストまたはマルチキャストで送信する。このため、少ないネットワークリソースで、その受信された情報を、移動体端末装置１０３に送信することが可能になる。
【０１４２】
したがって、特定端末装置は、他の特定端末装置と情報を交換しているときに、非常に多くの所定端末装置に特定の情報を送信することが可能になる。
【０１４３】
なお、本実施例では、ＳＩＰサーバ１０４は、複数の特定端末装置の各ユーザに関するユーザ情報を管理し、また、配信権利を有さない特定端末装置に、配信権利を有する特定端末装置のユーザに関するユーザ情報を提供する。
【０１４４】
この場合、情報を発信しているユーザを特定することが可能になる。このため、例えば、不都合もしくは誤った情報が流されていることがわかった場合には、情報発信者から配信権利を取り上げて、そのような情報の送信を中断させることが可能になる。したがって、例えば、緊急時において、情報を統制することが可能になる。
【０１４５】
また、本実施例では、管理ノード１０５は、情報配信が可能な通信エリアを管理し、また、複数の特定端末装置のいずれかから送信された、情報配信が可能な通信エリアを問い合わせる旨の問合せ要求を受け付けると、その管理されている通信エリアを示すエリア情報を、その問合せ要求を送信した特定端末装置に提供する。
【０１４６】
また、管理ノード１０５は、そのエリア情報を有する特定端末装置から、そのエリア情報に示された通信エリアの中から選択された通信エリアを示すエリア特定情報を受け付けると、そのエリア特定情報にて示された通信エリアに存在する移動端末装置１０３に、ＳＩＰサーバ１０４から受け付けられた情報を送信する。
【０１４７】
この場合、特定端末装置のユーザが通信エリアを指定することが可能になる。このため、特定端末装置のユーザは、各通信エリアに存在する移動端末装置に適切な情報を提供することが可能になる。
【０１４８】
また、本実施例では、管理ノード１０５は、エリア情報を有する特定端末装置から、そのエリア情報に示された通信エリアの中から選択された通信エリアを示すエリア特定情報を受け付けると、そのエリア特定情報を、ＳＩＰサーバ１０４に送信する。また、ＳＩＰサーバ１０４は、管理ノード１０５からエリア特定情報を受け付けると、そのエリア特定情報を複数の特定端末装置に配信する。
【０１４９】
この場合、特定端末装置のユーザは、現在、情報が配信されている通信エリアを容易に把握できる。
【０１５０】
また、本実施例では、ＳＩＰサーバ１０４は、複数の特定端末装置間でＳＩＰによるセッションを確立してそれら複数の特定端末装置間で情報のやりとりが可能なようにそれら複数の特定端末装置を接続する。
【０１５１】
この場合、例えば、第３世代セルラー移動体通信システムに対応する特定端末装置は、他の特定端末装置と情報を交換しているときに、非常に多くの所定端末装置に特定の情報を送信することが可能になる。
【０１５２】
また、本実施例によれば、配信権利を有する特定端末装置が切り替わることが可能となるので、複数の地点からブロードキャストもしくはマルチキャストにより情報を発信することが可能になる。
【０１５３】
次に、他の実施例を説明する。
【０１５４】
図８は、本発明の第２実施例の情報通信システムを示したブロック図である。
【０１５５】
なお、図８において、図１に示したものと同一のものには同一符号を付してある。
【０１５６】
本実施例は、W-CDMA（Wideband - Code Division Multiple Access）等の符号分割多重方式を利用したシステムに本発明を適用した情報通信システムである。
【０１５７】
ここでは、第３世代移動体通信システムにおけるＰｏＣ（(Push-to-talk over Cellular）に本発明を適用した例を示す。ＰｏＣは、トランシーバのような片方向通話サービスであり、１対１またはグループ間での迅速なコミュニケーションを実現する。
【０１５８】
第３世代移動体通信システムにおいてブロードキャストおよびマルチキャストサービスを実施する方法として、ＭＢＭＳ（Multimedia Broadcast Multicast Service）がある。    
【０１５９】
ＭＢＭＳでは、ＢＭ−ＳＣ（Broadcast Multicast Service Centre：ブロードキャストマルチキャストサービスセンタ）８０１が、ブロードキャスト機能およびマルチキャスト機能を管理する。  ＭＢＭＳでは、効率的な情報配信を実現するために、ＢＭ−ＳＣ８０１が、セル１０８内に存在する移動端末装置の数に応じて、共通チャネルを使用して情報配信を行うＰ−ｔ−ｍ（Point to Multipoint）と、個別チャネルを使用して情報配信を行うＰ−ｔ−Ｐ（Point-to-Point）とを、使い分ける。
【０１６０】
図９は、ＢＭ−ＳＣ８０１の一例を示したブロック図である。
【０１６１】
図９において、ＢＭ−ＳＣ８０１は、通信部８０１ａ、通信エリア格納部８０１ｂ、エリア情報提供部８０１ｃおよび通信制御部８０１ｄとを含む。
【０１６２】
通信部８０１ａは、ＩＭＳｃｏｒｅ８０２およびＣＮ１０６と接続する。
【０１６３】
通信エリア管理部８０１ｂは、情報配信が可能な通信エリアを管理する。
【０１６４】
例えば、通信エリア管理部８０１ｂは、ブロードキャストまたはマルチキャストにてデータを配信する機能が備わっているセルの中から事前の契約により定めされたセルを、情報配信が可能な通信エリアとして、管理する。
【０１６５】
なお、通信エリア管理部８０１ｂは、各セルのネットワークリソースの利用状況に基づいて、情報配信が可能な通信エリアを管理してもよい。例えば、通信エリア管理部８０１ｂは、ネットワークリソースが十分に空いているセルを、情報配信が可能な通信エリアとして、管理してもよい。
【０１６６】
また、通信エリア管理部８０１ｂは、ネットワークリソースも管理する。
【０１６７】
エリア情報提供部８０１ｃは、複数の特定端末装置のいずれかから、情報配信が可能な通信エリアを問い合わせる旨の問合せ要求を受信すると、通信エリア管理部８０１ｂにて管理されている情報配信が可能な通信エリアを示すエリア情報を、その問合せ要求を送信した特定端末装置宛に送信する。
【０１６８】
通信制御部８０１ｄは、特定端末装置から送信された情報を、ＰｏＣサーバ８０３を介して受信すると、その受信された情報を、セル１０８に存在する移動端末装置１０３にブロードキャストまたはマルチキャストで送信する。
【０１６９】
なお、本実施例では、通信制御部８０１ｄは、エリア情報提供部８０１ｃからエリア情報を受け付けた特定端末装置から、そのエリア情報に示された通信エリアの中から選択された通信エリア（例えば、セル１０８ａ）を示すエリア特定情報を受け付けると、特定端末装置から送信された情報を、そのエリア特定情報にて示された通信エリアに存在する移動端末装置１０３に送信する。
【０１７０】
また、通信制御部８０１ｄは、エリア情報を受け付けた特定端末装置から、エリア特定情報を受け付けると、そのエリア特定情報を、ＩＭＳｃｏｒｅ８０２に送信する。
【０１７１】
ＩＭＳｃｏｒｅ８０２は、ＳＩＰサーバの機能を果たし、また、エリア特定情報を受信すると、そのエリア特定情報を複数の特定端末装置に配信する。特定端末装置は、エリア特定情報を受信すると、そのエリア特定情報を表示する。
【０１７２】
また、通信制御部８０１ｄは、セル１０８内に存在する移動端末装置の数に応じて、Ｐ−ｔ−ｍと、Ｐ−ｔ−Ｐとを使い分ける。
【０１７３】
図８に戻って、ＩＭＳｃｏｒｅ８０２は、ＳＩＰによるセッションを管理する機能を有する。
【０１７４】
また、ＩＭＳｃｏｒｅ８０２は、ＳＩＰによるセッションが確立された複数の装置のいずれかから、すなわち、特定端末装置のいずれかから、配信権利を要求する旨の配信権利要求を受信すると、その配信権利要求を送信した特定端末装置に、配信権利を提供する。
【０１７５】
また、ＩＭＳｃｏｒｅ８０２は、複数の特定端末装置の各ユーザに関するユーザ情報を管理し、配信権利を有さない特定端末装置に、配信権利が提供された特定端末装置のユーザに関するユーザ情報を提供する。ユーザ情報は、例えば、特定端末装置のユーザの名前である。特定端末装置は、ユーザ情報を受信すると、そのユーザ情報を表示する。
【０１７６】
ＰｏＣサーバ８０３は、ユーザの発言権を管理する機能と、発言を要求するユーザに対して発言権を付与する機能と、を有する。
【０１７７】
また、ＰｏＣサーバ８０３は、配信権利を有する特定端末装置から情報を受信すると、その受信された情報を、ＢＭ−ＳＣ８０１と、配信権利を有さない特定端末装置と、に配信する。
【０１７８】
また、ＰｏＣサーバ８０３は、配信権利を有さない特定端末装置から情報を受信すると、その受信された情報を、その情報を送信した特定端末装置と異なる特定端末装置に配信する。なお、ＰｏＣサーバ８０３は、配信権利を有さない特定端末装置から受け付けられた情報を、ＢＭ−ＳＣ８０１に配信しない。
【０１７９】
次に、動作を説明する。
【０１８０】
図１０は、ＰｏＣサービスにおけるＳＩＰによる複数の特定端末装置間のセッション確立手続きを説明するためのシーケンス図である。なお、図１０において、図８に示したものと同一のものには同一符号を付してある。
【０１８１】
また、説明の簡略化を図るため、端末装置１０２ａおよび１０２ｂが特定端末装置になる場合の動作を説明する。
【０１８２】
端末装置１０２ａは、ＰｏＣによる通話を行うために、端末装置１０２ａと端末装置１０２ｂとＰｏＣサーバ８０３との間でＳＩＰによるセッションを開始する旨の指示と、ＭＢＭＳによる情報配信を要求する旨の情報配信要求と、をユーザから受け付けると、ステップ１００１を実行する。
【０１８３】
ステップ１００１では、端末装置１０２ａは、ＳＩＰによるセッションを開始する。端末装置１０２ａは、ＳＩＰによるセッションを開始すると、ステップ１００２を実行する。
【０１８４】
ステップ１００２では、端末装置１０２ａは、端末装置１０２ａと端末装置１０２ｂとＰｏＣサーバ８０３との間でＳＩＰによるセッションを開始する旨と、情報配信要求と、を示したメッセージＩｎｖｉｔｅを、ＩＭＳｃｏｒｅ８０２に送信する。
【０１８５】
ＩＭＳｃｏｒｅ８０２は、メッセージＩＮＶＩＴＥを受け付けると、ステップ１００３を実行する。
【０１８６】
ステップ１００３では、ＩＭＳｃｏｒｅ８０２は、メッセージＩＮＶＩＴＥが情報配信要求を示しているか否かを確認する。
【０１８７】
また、ＩＭＳｃｏｒｅ８０２は、メッセージＩＮＶＩＴＥに示された、端末装置１０２ａと端末装置１０２ｂとＰｏＣサーバ８０３との間でＳＩＰによるセッションを開始する旨に応じて、ステップ１００４を実行する。
【０１８８】
ステップ１００４では、ＩＭＳｃｏｒｅ８０２は、ＰｏＣサーバ８０３とＳＩＰによるセッションを確立するために、メッセージＩＮＶＩＴＥをＰｏＣサーバ８０３に送信する。ＰｏＣサーバ８０３は、メッセージＩＮＶＩＴＥを受信すると、ステップ１００５を実行する。
【０１８９】
ステップ１００５では、ＰｏＣサーバ８０３は、メッセージＩＮＶＩＴＥをＩＭＳｃｏｒｅ８０２に送信する。ＩＭＳｃｏｒｅ８０２は、ＰｏＣサーバ８０３からメッセージＩＮＶＩＴＥを受け付けると、ステップ１００６を実行する。
【０１９０】
ステップ１００６では、ＩＭＳｃｏｒｅ８０２は、メッセージＩＮＶＩＴＥを端末装置１０２ｂに送信する。
【０１９１】
このようなメッセージＩＮＶＩＴＥの送受に基づいて、端末装置１０２ａと、端末装置１０２ｂと、ＰｏＣサーバ８０３との間でＳＩＰによるセッションが確立される。
【０１９２】
端末装置１０２ａから送信されたメッセージＩＮＶＩＴＥが情報配信要求を示していると、端末装置１０２ａと端末装置１０２ｂとＰｏＣサーバ８０３との間でＳＩＰによるセッションが確立された後、ＩＭＳｃｏｒｅ８０２は、ステップ１００７を実行する。
【０１９３】
ステップ１００７では、ＩＭＳｃｏｒｅ８０２は、ＢＭ−ＳＣ８０１に対して、ＭＢＭＳによる情報配信が可能なエリアの問い合わせと、情報配信を実施するためのリソースを確保する旨を要請する。
【０１９４】
以後の情報配信エリアに関する手続きは、第１実施例に準じる。
【０１９５】
具体的には、ＢＭ−ＳＣ８０１にて実行されるステップ１００８、１００９、１０１３および１０１４は、管理ノード１０５にて実行されるステップ４０６、４０７、４１１および４１２に対応する。ＩＭＳｃｏｒｅ８０２にて実行されるステップ１０１０、１０１２および１０１５は、ＳＩＰサーバ１０４にて実行されるステップ４０８、４１０および４１３に対応する。端末装置１０２ａにて実行されるステップ１０１１は、端末装置１０２ａにて実行されるステップ４０９に対応する。
【０１９６】
ＳＩＰセッションが確立された特定端末装置は、ＰｏＣによる音声通話が可能となる。また、特定端末装置のいずれかは、配信権利を有すると、ＭＢＭＳによりサービスエリア情報にて示されたサービスエリアに属するセルに存在する移動端末装置に対して、情報を提供できる。
【０１９７】
なお、ＰｏＣは、片方向通話であるため、発話するユーザは常に一人である。
【０１９８】
特定端末装置のユーザは、ＭＢＭＳによる情報配信を行いたいときには、特定端末装置の情報配信ボタンを押下する。以下では、端末装置１０２ａが特定端末装置である場合の例を説明する。
【０１９９】
情報配信ボタンが押下されると、端末装置１０２ａは、ＩＭＳｃｏｒｅ８０２に対して配信権利要求を送信する。
【０２００】
ＩＭＳｃｏｒｅ８０２は、配信権利要求を受け付けると、ＳＩＰにてセッションが確立されている複数の特定端末装置の中の、端末装置１０２ａと異なる特定端末装置が、配信権利を有しているか否かを確認する。
【０２０１】
ＩＭＳｃｏｒｅ８０２は、端末装置１０２ａと異なる特定端末装置が配信権利を有していなければ、換言すると、他の特定端末装置がブロードキャストもしくはマルチキャストによる情報配信を行っていなければ、端末装置１０２ａにＯＫを返して、端末装置１０２ａに配信権利を提供する。
【０２０２】
このとき、ＩＭＳｃｏｒｅ８０２は、配信権利を持つユーザを識別するための情報を、ＰｏＣサーバ８０３に通知する。
【０２０３】
一方、ＩＭＳｃｏｒｅ８０２は、端末装置１０２ａと異なる特定端末装置が配信権利を有していると、換言すると、他の特定端末装置がブロードキャストもしくはマルチキャストによる情報配信を行っていると、端末装置１０２ａにＮＧを返す。このとき、配信権利は提供されない。
【０２０４】
端末装置１０２ａのユーザは、ＩＭＳｃｏｒｅ８０２からＯＫを受け付けると、サービスエリアに対して情報配信を行うことができると判断し、一方、ＩＭＳｃｏｒｅ８０２からＮＧを受け付けると、サービスエリアに対して情報配信を行うことができないと判断してしばらく待つ。
【０２０５】
ＩＭＳｃｏｒｅ８０２は、端末装置１０２ａに配信権利を提供すると、端末装置１０２ａとＳＩＰにてセッションが確立されている特定端末装置（以下では「端末装置１０２ｂ」とする。）に、情報配信サービスが使用中である旨を示す配信中情報を通知する。
【０２０６】
また、ＩＭＳｃｏｒｅ８０２は、端末装置１０２ａとＳＩＰにてセッションが確立されている端末装置（この場合、端末装置１０２ｂ）に、配信権利が提供された端末装置１０２ａのユーザに関するユーザ情報（発信者情報）を提供する。
【０２０７】
端末装置１０２ｂは、配信中情報を受け付けると、情報配信サービスが使用中であることを示す配信中アイコンを表示し、発信者情報を受け付けると、その受け付けられた発信者情報を表示する。
【０２０８】
ＰｏＣサーバ８０３は、発言権管理を行っている。
【０２０９】
ＰｏＣサーバ８０３は、ＩＭＳｃｏｒｅ８０２より通知された配信権利を持つユーザと発言権を持つユーザが一致しないとき、そのユーザにて使用されている特定端末装置（この場合、端末装置１０２ａ）から受信したデータを、ＳＩＰによりセッションが確立されている特定端末装置（この場合、端末装置１０２ｂ）に転送する。なお、ＰｏＣサーバ８０３は、端末装置１０２ａから受信したデータを、端末装置１０２ａに配信してもよい。
【０２１０】
一方、ＰｏＣサーバ８０３は、ＩＭＳｃｏｒｅ８０２より通知された配信権利を持つユーザと発言権を持つユーザが一致したとき、そのユーザにて使用されている特定端末装置（この場合、端末装置１０２ａ）から受信したデータを、ＳＩＰによりセッションが確立されている特定端末装置（この場合、端末装置１０２ｂ）と、ＢＭ−ＳＣ８０１とに対して転送する。なお、ＰｏＣサーバ８０３は、端末装置１０２ａから受信したデータを、端末装置１０２ａに配信してもよい。
【０２１１】
ＢＭ−ＳＣ８０１は、ＰｏＣサーバ８０３からデータを受信すると、エリア特定情報にて示された通信エリア（サービス提供エリア）を確認し、その確認された通信エリア内に存在する移動端末装置１０３の数に応じて、Ｐ−ｔ−ｍとＰ−ｔ−Ｐとを使い分けて、通信エリア内に存在する移動端末装置１０３に、その受信されたデータを、ブロードキャストまたはマルチキャストで配信する。
【０２１２】
ブロードキャストもしくはマルチキャストにより配信を停止する場合には、端末装置１０２ａのユーザは、端末装置１０２ａの情報配信ボタンを再び押下する。
【０２１３】
端末装置１０２ａは、この押下に応じて、ＩＭＳｃｏｒｅ８０２に対して、配信終了要求を送信する。
【０２１４】
ＩＭＳｃｏｒｅ８０２は、配信終了要求を受け付けると、端末装置１０２ａにＯＫを返して、端末装置１０２ａに提供していた配信権利を取り戻し、端末装置１０２ａを示す権利提供先情報を削除する。
【０２１５】
端末装置１０２ａは、ＩＭＳｃｏｒｅ８０２からＯＫを受信すると、配信中アイコンの表示を終了する。
【０２１６】
また、ＩＭＳｃｏｒｅ８０２は、配信終了要求を受け付けると、端末装置１０２ａとＳＩＰにてセッションが確立されている端末装置（この場合、端末装置１０２ｂ）に、配信終了通知を送信する。
【０２１７】
端末装置１０２ｂは、配信終了通知を受信すると、配信中アイコンおよび発信者情報の表示を終了する。
【０２１８】
なお、ユーザが、ＭＢＭＳ提供エリアの設定および変更を行う場合の手続きは、図６を参照して説明した手続きに準じる。
【０２１９】
具体的には、図６を参照して説明において、図６に示したＳＩＰサーバ１０４がＩＭＳｃｏｒｅ８０２に読み替えられ、図６に示した管理ノード１０５がＢＭ−ＳＣ８０１に読み替えられれば、ＭＢＭＳ提供エリアの設定および変更の手続きが示される。
【０２２０】
本実施例によれば、ＰｏＣサーバ８０３は、配信権利を有する特定端末装置から情報を受け付けると、その情報を、ＢＭ−ＳＣ８０１と、配信権利を有さない特定端末装置とに配信する。また、ＰｏＣサーバ８０３は、配信権利を有さない特定端末装置から情報を受け付けると、その情報を、その情報を送信した特定端末装置以外の特定端末装置（例えば、その情報を送信した特定端末装置と異なる特定端末装置）に配信する。ＢＭ−ＳＣ８０１は、ＰｏＣサーバ８０３から情報を受け付けると、その受け付けられた情報を移動端末装置１０３にブロードキャストまたはマルチキャストで送信する。
【０２２１】
このため、特定端末装置は、配信権利の有無に応じて、情報の配信先を変更することが可能になる。具体的には、特定端末装置は、配信権利の有無にかかわらず、他の特定端末装置と情報を交換でき、また、配信権利を有すれば、他の特定端末装置と、セル１０８に存在する移動端末装置１０３とに、情報を配信できる。
【０２２２】
また、ＢＭ−ＳＣ８０１は、ＰｏＣサーバ８０３から受け付けられた情報を、移動端末装置１０３にブロードキャストまたはマルチキャストで送信する。このため、少ないネットワークリソースで、その受け付けられた情報を移動端末装置１０３に送信することが可能になる。
【０２２３】
したがって、特定端末装置は、他の特定端末装置と情報を交換しているときに、非常に多くの移動端末装置に特定の情報を送信することが可能になる。
【０２２４】
なお、本実施例では、ＩＭＳｃｏｒｅ８０２は、複数の特定端末装置の各ユーザに関するユーザ情報を管理し、また、配信権利を有さない特定端末装置に、配信権利を有する特定端末装置のユーザに関するユーザ情報を提供する。
【０２２５】
この場合、情報を発信しているユーザを特定することが可能になる。このため、例えば、不都合もしくは誤った情報が流されていることがわかった場合には、情報発信者から配信権利を取り上げて、そのような情報の送信を中断させることが可能になる。したがって、例えば、緊急時において、情報を統制することが可能になる。
【０２２６】
また、本実施例では、ＢＭ−ＳＣ８０１は、情報配信が可能な通信エリアを管理し、また、複数の特定端末装置のいずれかから送信された、情報配信が可能な通信エリアを問い合わせる旨の問合せ要求を受け付けると、その管理されている通信エリアを示すエリア情報を、その問合せ要求を送信した特定端末装置に提供する。
【０２２７】
また、ＢＭ−ＳＣ８０１は、エリア情報を有する特定端末装置から、エリア情報に示された通信エリアの中から選択された通信エリアを示すエリア特定情報を受け付けると、そのエリア特定情報にて示された通信エリアに存在する移動端末装置１０３に、ＰｏＣサーバ８０３から受け付けられた情報を送信する。
【０２２８】
この場合、特定端末装置のユーザが通信エリアを指定することが可能になる。このため、特定端末装置のユーザは、各通信エリアに存在する所定端末装置に適切な情報を提供することが可能になる。
【０２２９】
また、本実施例では、ＢＭ−ＳＣ８０１は、エリア情報を有する特定端末装置から、エリア情報に示された通信エリアの中から選択された通信エリアを示すエリア特定情報を受け付けると、そのエリア特定情報を、ＰｏＣサーバ８０３に送信する。ＰｏＣサーバ８０３は、ＢＭ−ＳＣ８０１からからエリア特定情報を受け付けると、そのエリア特定情報を複数の特定端末装置に配信する。
【０２３０】
この場合、特定端末装置のユーザは、現在、情報が配信されている通信エリアを容易に把握できる。
【０２３１】
また、本実施例では、ＩＭＳｃｏｒｅ８０２は、複数の特定端末装置とＰｏＣサーバ８０３との間でＳＩＰによるセッションを確立してそれらの間で情報のやりとりが可能なようにそれらを接続する。
【０２３２】
この場合、例えば、第３世代セルラー移動体通信システムに対応する特定端末装置は、他の特定端末装置と情報を交換しているときに、非常に多くの所定端末装置に特定の情報を送信することが可能になる。
【０２３３】
また、本実施例によれば、ＩＭＳｃｏｒｅ８０２と、ＰｏＣサーバ８０３と、ＢＭ−ＳＣ８０１とが用いられているため、例えば、インターネット網等のＩＰ網に接続されている特定端末装置から移動体通信網に対して一斉同報通信を行うことが可能になる。また、移動体通信網に接続されている特定端末装置から移動体通信網に対して一斉同報通信を行うことも可能になる。
【０２３４】
以上説明した各実施例において、図示した構成は単なる一例であって、本発明はその構成に限定されるものではない。
【０２３５】
例えば、上記各実施例において、移動端末装置１０３が特定端末装置となってもよい。
【０２３６】
また、本発明は、ブロードキャストおよびマルチキャストを利用可能なセルラー移動体通信システム等の通信分野において利用されると考えられる。
【図面の簡単な説明】
【０２３７】
【図１】本発明の第１実施例の情報通信システムを示したブロック図である。
【図２】ＳＩＰサーバ１０４の一例を示したブロック図である。
【図３】管理ノード１０５の一例を示したブロック図である。
【図４】ＳＩＰによる複数の特定端末装置間のセッション確立手続きを説明するためのシーケンス図である。
【図５】情報をブロードキャストもしくはマルチキャストにより配信する手順を説明するためのシーケンス図である。
【図６】サービス提供エリアを変更する手順を説明するためのシーケンス図である。
【図７】表示画面の一例を示した説明図である。
【図８】本発明の第２実施例の情報通信システムを示したブロック図である。
【図９】ＢＭ−ＳＣ８０１の一例を示したブロック図である。
【図１０】ＳＩＰによる複数の特定端末装置間のセッション確立手続きを説明するためのシーケンス図である。
【符号の説明】
【０２３８】
１０１      有線通信網
１０２      端末装置
１０３      移動端末装置
１０４      ＳＩＰサーバ
１０４ａ    通信部
１０４ｂ    管理部
１０４ｃ    配信部
１０４ｃ１  セッション確立部
１０４ｃ２  配信制御部
１０５      管理ノード
１０５ａ    通信部
１０５ｂ    通信エリア管理部
１０５ｃ    エリア情報提供部
１０５ｄ    通信制御部
１０６      ＣＮ
１０７      ＲＡＭ
１０８      セル
８０１      ＢＭ−ＳＣ
８０１ａ    通信部
８０１ｂ    通信エリア管理部
８０１ｃ    エリア情報提供部
８０１ｄ    通信制御部
８０２      ＩＭＳｃｏｒｅ
８０３      ＰｏＣサーバ
【図１】
0004591697.tif 000002
【図２】
0004591697.tif 000003
【図３】
0004591697.tif 000004
【図４】
0004591697.tif 000005
【図５】
0004591697.tif 000006
【図６】
0004591697.tif 000007
【図７】
0004591697.tif 000008
【図８】
0004591697.tif 000009
【図９】
0004591697.tif 000010
【図１０】
0004591697.tif 000011